(57)【要約】 【課題】  輝度均一性を増加させ消費電力を減少させることができる面光源装置及びこれを用いた液晶表示装置を提供する。【解決手段】面光源装置は、第１基板、第１基板と向き合う第２基板、及び第１基板と第２基板との間に設けられ少なくとも二つに分割された放電空間を提供する空間分割部材を含む光源本体と、空間分割部材と交差するように光源本体の表面に配置された第１電源印加部及び第１電源印加部から表面に沿って空間分割部材と重ならないように延びる第１電極部を含む第１電極と、第１電極と離隔され、空間分割部材と交差する方向に光源本体に配置された第２電極とを含む。これによって、面光源装置の輝度均一性を大幅に向上させ、光を発生するのに必要とされる消費電力を大きく減少させる。【選択図】    図１
2005108819.tif 000002
【特許請求の範囲】
【請求項１】
第１基板、前記第１基板と向き合う第２基板、及び前記第１基板と第２基板との間に設けられ少なくとも二つに分割された放電空間を提供する空間分割部材を含む光源本体と、
前記光源本体の表面に互いに離隔されるように配置される一対の電極と
を備え、
前記電極のうち少なくとも一方が、第１電源印加部及び前記第１電源印加部から前記表面に沿って前記空間分割部材に重ならないように延びる第１電極部を含む
ことを特徴とする面光源装置。
【請求項２】
前記第１電極部の個数及び前記放電空間の個数は同一であることを特徴とする請求項１記載の面光源装置。
【請求項３】
前記第１電極部の間の間隔は前記空間分割部材の幅以上であることを特徴とする請求項１記載の面光源装置。
【請求項４】
前記一対の電極は前記第１基板上に配置されることを特徴とする請求項１記載の面光源装置。
【請求項５】
前記一対の電極は第１電極及び第２電極を含み、前記第１電極が前記第１電源印加部及び前記第１電極部を含むことを特徴とする請求項４記載の面光源装置。
【請求項６】
前記第１電源印加部は前記第２電極と前記第１電極部との間に設けられることを特徴とする請求項５記載の面光源装置。
【請求項７】
前記第１電極部は前記第１電源印加部と前記第２電極との間に設けられることを特徴とする請求項５記載の面光源装置。
【請求項８】
前記第２電極は、第２電源印加部及び前記第２電源印加部から前記表面に沿って前記空間分割壁に重ならないように延びる第２電極部を含むことを特徴とする請求項５記載の面光源装置。
【請求項９】
前記第２基板上に、
第３電源印加部と、
前記第３電源印加部から前記表面に沿って前記空間分割部材に重ならないように延びる第３電極部を含む第３電極と、
前記第３電極と離隔されて設けられる第４電極と、
が設けられることを特徴とする請求項５記載の面光源装置。
【請求項１０】
前記第４電極は、
前記空間分割壁と交差する方向に前記光源本体の表面に配置された第４電源印加部と、
前記第４電源印加部から前記表面に沿って前記空間分割壁に重ならないように延びる第４電極部と、
を含むことを特徴とする請求項９記載の面光源装置。
【請求項１１】
前記光源本体は前記各放電空間に配置された放電ガスをさらに含むことを特徴とする請求項１記載の面光源装置。
【請求項１２】
前記第１基板には第１蛍光層をさらに含み、前記第２基板には第２蛍光層をさらに含むことを特徴とする請求項１記載の面光源装置。
【請求項１３】
前記第２基板は、前記第２基板と前記第２蛍光層との間に配置される光反射層をさらに含むことを特徴とする請求項１２記載の面光源装置。
【請求項１４】
前記光源本体は前記第１基板及び前記第２基板の縁に配置される密封部材をさらに含むことを特徴とする請求項１記載の面光源装置。
【請求項１５】
前記空間分割壁が複数設けられ、
前記複数の空間分割壁は互いに同一の長さを有し、互いに平行に配置され、
各空間分割壁は第１端部及び第１端部と向き合う第２端部を有し、
前記放電空間が連続的に連結された蛇行構造を成すように、奇数番目の空間分割壁の第１端部及び偶数番目の空間分割壁の第２端部が前記密封部材に連結されることを特徴とする請求項１４記載の面光源装置。
【請求項１６】
前記第１電極及び第２電極は銀ペイスト物質または導電性テープからなることを特徴とする請求項１記載の面光源装置。
【請求項１７】
前記第１電源印加部の幅は前記第１電極部の幅の１/１０以下であることを特徴とする請求項１記載の面光源装置。
【請求項１８】
平らな空間を複数個の放電空間に分割するための空間分割部材を含む光源本体と、前記光源本体の表面に互いに離隔されるように配置される一対の電極とを備え、前記電極のうち少なくとも一方が第１電源印加部及び前記第１電源印加部から前記表面に沿って前記空間分割部材に重ならないように延びる第１電極部を含む面光源装置と、
前記面光源装置を収納する収納容器と、
可視光を情報が含まれたイメージ光に変化させる液晶表示パネルと、
を含むことを特徴とする液晶表示装置。
【請求項１９】
前記一対の電極は第１電極及び第２電極からなり、前記第１電極は前記第１電源印加部及び第１電源印加部から前記表面に沿って前記空間分割部材に重ならないように延びる第１電極部を含み、前記第２電極は前記第２電源印加部及び第２電源印加部から前記表面に沿って前記空間分割部材に重ならないように延びる第２電極部を含むことを特徴とする請求項１８記載の液晶表示装置。
【発明の詳細な説明】
【技術分野】
【０００１】
本発明は面光源装置及びこれを用いる液晶表示装置に関し、より詳細には輝度均一性を向上させ、消費電力は減少させる面光源装置及びこれを利用する液晶表示装置に関する。
【背景技術】
【０００２】
液晶表示装置は制御された液晶によって情報が含まれた映像を表示する。液晶表示装置は嵩が小さくて軽いという長所を有するため、携帯用コンピューター、通信機器、液晶ＴＶ受信機及び宇宙航空産業などに広く使用されている。
液晶を制御するために、液晶表示装置は液晶を制御する液晶制御部及び液晶に光を供給する光供給部を必要とする。
【０００３】
液晶制御部は第１基板に配置された画素電極、第２基板に配置された共通電極、及び画素電極と共通電極との間に挿入された液晶で構成される。画素電極は解像度に対応して複数個の電極からなり、共通電極は画素電極と対向する一つの電極からなる。各画素電極には互いに異なるレベルを有する画素電圧を印加するために薄膜トランジスタが連結され、共通電極には同一のレベルの基準電圧が印加される。光供給部を別途に有する液晶表示装置の画素電極及び共通電極は透明で導電性を有する物質からなる。  
【０００４】
光供給部は液晶に光を供給する。光は、画素電極、液晶及び共通電極を順次に通過する。このとき、液晶制御部を通過した映像の表示品質は、光供給部の輝度及び輝度の均一性によって大きく影響を受ける。一般に輝度及び輝度均一性が高いほど表示品質は良好になる。
従来の液晶表示装置の光供給部は、主に棒形状の冷陰極線管方式ランプ（Ｃｏｌｄ  Ｃａｔｈｏｄ  Ｆｌｕｏｒｅｓｃｅｎｔ  Ｌａｍｐ：ＣＣＦＬ）、またはドット形状の発光ダイオードが使用される。冷陰極線管方式ランプは輝度が高くて寿命が長く、白色光を発生させ、白熱灯に比べて非常に小さい発熱量を有するという長所を有する。発光ダイオードは低消費電力及び高輝度という長所を有する。
しかし、従来の冷陰極線管方式ランプまたは発光ダイオードは輝度均一性が悪いという短所を有する。
【０００５】
従って、冷陰極線管方式ランプまたは発光ダイオードを有する光供給部は、従来、導光板、拡散部材及びプリズムシートなどのような光学部材を含むように構成されている。
これによって、冷陰極線管方式ランプまたは発光ダイオードを使用する液晶表示装置は、光学部材により嵩及び重さが大きく増加するという問題点を有する。
【発明の開示】
【発明が解決しようとする課題】
【０００６】
従って、本発明はこのような従来の問題点に鑑みなされたもので、本発明の第１目的は輝度均一性を増加させ、消費電力を減少させた面光源装置を提供することにある。
本発明の第２目的は前記面光源装置を利用した液晶表示装置を提供することにある。
【課題を解決するための手段】
【０００７】
このような本発明の第１目的を具現するために、本発明は、第１基板、第１基板と向き合う第２基板及び第１基板と第２基板との間に設けられ少なくとも二つに分割された放電空間を提供する空間分割部材を含む光源本体と、光源本体の表面には互いに離隔されるように配置される一対の電極とを備え、電極のうち少なくとも一方が第１電源印加部及び第１電源印加部から表面に沿って空間分割部材に重ならないように延びる第１電極部を含む面光源装置を提供する。
また、本発明の第２目的を具現するために、本発明は、平らな空間を複数個の放電空間に分割するための空間分割部材を含む光源本体、光源本体の表面に互いに離隔されるように配置される一対の電極を備え、電極のうち少なくとも一方が第１電源印加部及び第１電源印加部から表面に沿って空間分割部材に重ならないように延びる第１電極部を含む面光源装置と、面光源装置を収納する収納容器と、可視光を情報が含まれたイメージ光に変更させる液晶表示パネルとを含む液晶表示装置を提供する。
本発明によると、放電ガスが入れられている放電空間に放電を起こす一対の電極のうち少なくとも一つの電極の構造を改良することにより、面光源装置の輝度均一性を大きく向上させ、消費電力も減少させることができる。
【発明を実施するための最良の形態】
【０００８】
以下、図面を参照して本発明の望ましい一実施例をより詳細に説明する。
面光源装置の実施例
第１実施例
図１は本発明の第１実施例による面光源装置の部分切開斜視図である。
図１に示すように、面光源装置１００は光源本体２００、第１電極３００及び第２電極４００を含む。
光源本体２００は第１基板２１０、第２基板２２０、密封部材２３０及び空間分割部材２４０を含む。
図２は図１のＡ−Ａに沿って切断した断面図である。
図１及び図２に示すように、本実施例において第１基板２１０及び第２基板２２０は直方体プレート形状を有し、第１基板２１０は第２基板２２０に対して向き合うように配置される。本実施例において、第１基板２１０のうち第２基板２２０と向き合う面を第１面２１２と称し、第１基板２１０のうち第１面２１２と向き合う面を第２面２１４と称する。第２基板２２０のうち第１基板２１０と向き合う面を第３面２２２と称し、第２基板２２０のうち第３面２２２と向き合う面を第４面２２４と称する。本実施例で、第１基板２１０は光が透過可能な透明なガラス基板である。
【０００９】
図３は図１の光源本体のうち密封部材及び第２基板を選択して図示した平面図である。
図２及び図３に示すように、密封部材２３０は第１基板２１０と第２基板２２０との間に設けられる。密封部材２３０は第１基板２１０及び第２基板２２０の間に空間を形成し、空間に入れられた放電ガスが光源本体２００から漏洩することを防止する。これを実現するために、密封部材２３０は第１基板２１０及び第２基板２２０の形状に対応して四角プレート形状を有する。従って、密封部材２３０は４つの内側面を含む。以下、４つの内側面を第１内側面２３１、第２内側面２３２、第３内側面２３４及び第４内側面２３４と称する。第１内側面２３１及び第２内側面２３２は互いに向き合い、第３内側面２３３及び第４内側面２３４は互いに向き合う。第１内側面２３１及び第２内側面２３２は第１幅Ｗ２を有し、第３内側面２３３及び第４内側面２３４は第２幅Ｗ１を有する。
図４は図１に示した、装置の空間分割壁（空間分割部材）の配置を示す平面図である。
【００１０】
図１及び図４に示すように、空間分割部材２４０は第１基板２１０と第２２０との間に設けられる。空間分割部材２４０は棒形状を有し、第１方向に配置される。空間分割部材２４０は第１基板２１０と第２基板２２０との間に形成された空間を少なくとも二つの放電空間２４１に分割する。空間分割部材２４０は放電ガスの流動を防止し、これによって、各放電空間２４１での輝度不均一を防止する。本実施例で空間分割部材２４０は第２基板２２０上に配置される。
各放電空間２４１には放電によって非可視光線を発生させる放電ガス（図３参照、２４２）が入れられる。放電空間２４１内の放電ガス２４２の量は輝度に影響を与える。例えば、各放電空間２４１内の放電ガス２４２の量が互いに異なる場合、各放電空間２４１から発生する非可視光線の光量が互いに異なり、これによって、各放電空間２４１から発生した可視光線の光量も互いに異なる。従って、各放電空間２４１から均一な輝度を有する光を射出させるために、各放電空間２４１に導入される放電ガス２４２の量は精密に調節される。
【００１１】
図３及び図４に示すように、空間分割部材２４０は第１長さＬ１を有する。第１長さＬ１は、密封部材２３０の第１内側面２３１と第２内側面２３２との間の距離（即ち第３内側面２３３及び第４内側面２３４の第２幅Ｗ１）より短い。各空間分割部材２４０は、第１内側面２３１と向き合う第１端部２４０ｃ及び第２内側面２３２と向き合う第２端部２４０ｄを有する。
各放電空間２４１で放電ガス２４２の圧力を均一に調節するために、複数個の空間分割部材２４０は第１方向に関し互い違いに配置される。各空間分割部材２４０はｎ番目の空間分割部材（但し、ｎは奇数）２４０ａ及びｎ＋１番目の空間部材（但し、ｎは奇数）２４０ｂで構成される。ｎ番目の空間分割部材２４０ａの第１端部２４０ｃは密封部材２３０の第１内側面２３１に連結される。ｎ＋１番目の空間分割部材２４０ｂは、ｎ番目及びｎ＋２番目の空間分割部材２４０ａの間に配置される。ｎ＋１番目の空間分割部材２４０ｂの第２端部２４０ｄは密封部材２３０の第２内側面２３２に連結される。従って、ｎ番目の空間分割部材２４０ａ及びｎ＋１番目の空間分割部材２４０ｂによって、第１基板２１０と第２基板２２０との間には、一つに連結された蛇行する放電空間が形成される。一つに連結された放電空間に供給された放電ガス２４２は、各放電空間２４１で均一な圧力を有する。
【００１２】
図２及び図４に示すように、第１電極３００は第１基板２１０の第２面２１４に配置される。第１電極３００は第１電源印加部３１０及び第１電極部３２０を含む。第１電極３００は銀を含む銀薄膜、銀ペイスト、導電性テープ又は浸漬方式によって形成されたメッキ薄膜を使用することが望ましい。
【００１３】
第１電源印加部３１０は帯形状を有する。第１電源印加部３１０は空間分割部材２４０と交差する方向に配置される。望ましくは、本実施例において、第１電源印加部３１０は、第１方向と実質的に直交する第２方向に配置される。
第１電極部３２０は第１電源印加部３１０から第２面２１４上を第１方向に延びるように設けられる。このとき、第１電極部３２０は空間分割部材２４０と重ならないように放電空間のみに配置される。このとき、第１電極部３２０の間の間隔は空間分割部材の厚さより大きく形成される。
空間分割部材２４０は光を発生しないので、第１電極３２０と空間分割部材２４０とが重ならないように構成することにより、消費電力をより減少させることができる。また、空間分割部材２４０と第１電極部３２０とが重ならないように構成することにより、放電空間２４１で励起された放電ガス２４２の密度が変化して輝度偏差が発生することを防止することができる。
【００１４】
本実施例において、第１電極部３２０は第１電源印加部３１０と第２電極４００との間に配置される。なお、図５に示したように、第１電源印加部３１０を第１電極部３２０と第２電極４００との間に配置することもできる。
また、本実施例において、各第１電極部３２０の個数は各放電空間の個数に対応して配置され、第１電源印加部３１０の第３幅Ｗ３は第１電極部３２０の第４幅Ｗ４の１０％以内である。
また、本実施例において、第１電極部３２０の間の第１間隔Ｇ１は空間分割部材の厚さＤより広い。
【００１５】
第２電極４００は第１基板２１０の第２面２１４に配置される。第２電極４００は、銀を含む銀薄膜、銀ペイスト、導電性テープまたはメッキ薄膜を使用することが望ましい。第１電極３００及び第２電極４００は相互に離隔されて配置される。第１電極３００には第１駆動電圧が印加され、第２電極４００には第２駆動電圧が印加される。第１駆動電圧及び第２駆動電圧は放電空間２４１の内部で放電が起きるのに十分な電位差を有し、この結果、放電空間２４１内の放電ガス２４３は非可視光線である紫外線を発生させる。
【００１６】
図２に示すように、放電空間２４１から発生した非可視光線を可視光線に変更するために、光源本体２００は蛍光層をさらに含む。蛍光層は第１蛍光層２４６及び第２蛍光層２４８を含む。第１蛍光層２４６は第１基板２１０の第１面２１２に配置され、空間分割部材２４０と重ならないように形成される。第２蛍光層２４８は第２基板２２０の第３面２２２上に、空間分割部材２４０に面するように形成される。第１蛍光層２４６及び第２蛍光層２４８は放電空間２４１から発生した非可視光線を可視光線に変更させる。このとき、第１蛍光層２４６の第１厚さは約１０μｍ程度であり、第２蛍光層２４８は第１蛍光層２４６の厚さより厚い第２厚さを有する。第２蛍光層２４８は約３０〜５０μｍの厚さを有する。
一方、第２蛍光層２４８と第２基板２２０の第３面２２２との間には光反射層２４７が配置される。光反射層２４７は光の反射率は高い酸化チタンＴｉＯ３、酸化アルミニウムＡｌ２Ｏ３などが使用される。光反射層２４７は液体状態の酸化チタンまたは酸化アルミニウムをスプレイ方式で噴射して形成する。
本実施例によると、第１電極３００の第１電極部３２０を各放電空間２４１内に空間分離部材２４０に重ならないように設けるようにしたので、輝度不均一をなくすとともに、消費電力を減少させることができる。
【００１７】
第２実施例
図６は本発明の第２実施例による面光源装置の平面図である。本発明の第２実施例による面光源装置は、第１実施例の第２電極の構造を除いては、第１実施例の面光源装置と同一である。従って、同一の部材に対しては第１実施例と同一の参照番号を示し、その重複する説明は省略する。
図６に示すように、第２電極４００は第２方向に配置される。第２電極４００は第２電源印加部４１０及び第２電極部４２０を含む。
第２電源印加部４１０は帯形状を有する。第２電源印加部４１０は空間分割部材２４０と交差する方向に配置される。望ましくは、本実施例で、第２電源印加部４１０は第１方向と実質的に直交する第２方向に配置される。
第２電極部４２０は、第２電源印加部４１０から延び、第２面２４１上に配置される。第２電極部４２０は、各放電空間内に配置される。このとき、第２電極部４２０の間の間隔Ｇ１は空間分割部材２４０の厚さＤより大きく形成される。
空間分割部材２４０からは光が発生しないので、第２電極部４２０と空間分割部材２４０とが重ならないように構成することにより、消費電力をより減少させることができる。また、空間分割部材２４０と第２電極部４２０とが重ならないように構成することにより、放電空間２４１から励起された放電ガスの密度が変化して輝度偏差が発生することを防止することができる。
【００１８】
本実施例において、第２電極部４２０は第２電源印加部４１０と第１電極３００の第１電極部３２０との間に配置される。
また、本実施例において、第２電極部４２０の個数は各放電空間２４１に応じて決定され、第２電源印加部４１０の第３幅Ｗ３は第２電極部４２０の第４幅Ｗ４の１０％以内である。
本実施例によると、第２電極４００の第２電極部４２０を各放電空間２４１内に、空間分離部材と重ならないように設けたので、輝度不均一及び消費電力をより減少させることができる。
【００１９】
第３実施例
図７は本発明の第３実施例による面光源装置の平面図である。本発明の第３実施例による面光源装置は、第３電極及び第４電極を設ける点を除いては第１実施例の面光源装置と同一である。従って、同一の部材に対しては第１実施例と同一の参照番号を示し、重複する説明は省略する。
図７に示すように、本実施例による面光源装置１００は、第２基板２２０の第４面２２４上に配置された第３電極３３０、及び、第４面２２４上に前記第３電極３３０と離隔されて配置された第４電極４３０を含む。
第３電極３３０は第２方向に配置される。第３電極３３０は第３電源印加部３４０及び第３電極部３５０を含む。
第３電源印加部３４０は帯形状を有する。第３電源印加部３４０は空間分割部材２４０と交差する方向に配置される。望ましくは、本実施例において、第３電源印加部３４０は第１方向と実質的に直交する第２方向に配置される。
第３電極部３５０は第３電源印加部３４０から第４面２２４に沿って延びる。第３電極部３５０は各放電空間内に配置される。このとき、第３電極部３５０の間の第１間隔Ｇ１は空間分割部材２４０の厚さＤより大きく形成される。
【００２０】
空間分割部材２４０からは光が発生しないので、第３電極部３５０と空間分割部材２４０とが重ならないように構成することにより、消費電力をより減少させることができる。また、空間分割部材２４０と第３電極部３５０とが重ならないように構成することにより、連結された放電空間２４１で励起された放電ガスの密度が変化して輝度偏差が発生することを防止することができる。
本実施例で、第３電極部３５０は第３電源印加部３４０と第４電極４３０との間に配置される。
本実施例において、第１電圧印加部３１０及び第３電源印加部３４０は電気的に連結されて第１駆動電圧が印加され、第２電極４００及び第４電極４３０は電気的に連結されて第２駆動電圧が印加される。このとき、第１駆動電圧及び第２駆動電圧は放電空間２４１で放電を起こすのに十分な電位差を有する。
また、本実施例で、第３電極部３５０は各放電空間毎に配置され、第３電源印加部２４０の第３幅Ｗ３は第３電極部２５０の第４幅Ｗ４の１０％以内である。
【００２１】
第４電極４３０は第２基板２２０の第４面２２４に配置される。第４電極４３０及び第３電極３３０に対して離隔されて配置される。
本実施例によると、第２基板２２０の第４面２２４上に第３電極３５０及び第４電極４３０をさらに配置することにより、輝度をより向上させ、輝度不均一及び消費電力をより減少させることができる。
【００２２】
第４実施例
図８は本発明の第４実施例による面光源装置の平面図である。本発明の第４実施例による面光源装置は、第３実施例の第４電極の構造を除いては第３実施例の面光源装置と同一である。従って、同一の部材に対して第３実施例と同一の参照番号を示し、その重複する説明は省略する。
図８に示すように、第４電極４６０は第２方向に配置される。第４電極４６０は第４電源印加部４４０及び第４電極部４５０を含む。
第４電源印加部４４０は帯形状を有する。第４電源印加部４４０は空間分割部材２４０と交差する方向に配置される。望ましくは、本実施例において、第４電源印加部４４０は第１方向と実質的に直交する第２方向に配置される。
第４電極部４４０は第４電源印加部４４０から第４面２２４に沿って延びる。第４電極部４５０は空間分割部材２４０と重ならないように放電空間２４１のみに配置される。このとき、第４電極部４５０の間の第１間隔Ｇ１は空間分割部材２４０の厚さＤより大きく形成される。
【００２３】
空間分割部材２４０では光が発生しないので、第４電極部４５０と空間分割部材２４０とが重ならないように構成することにより、消費電力をより減少させることができる。また、空間分割部材２４０と第４電極部４５０とが重ならないように構成することにより、放電空間２４１で励起された放電ガスの密度が変化して輝度偏差が発生することを防止することができる。
本実施例において、第４電極部４５０は第４電源印加部４４０と第３電極３３０の第３電極部３５０との間に配置される。
本実施例において、第１電源印加部３１０及び第３電源印加部３４０は電気的に連結されて第１駆動電圧が印加され、第２電極４３０及び第４電源印加部４６０は電気的に連結されて第２駆動電圧が印加される。
【００２４】
また、本実施例において、第４電極部４５０は各放電空間に対応して配置され、第４電源印加部４４０の第３幅Ｗ３は第４電極部４５０の第４幅Ｗ４の１０％以内である。
本実施例によると、第４電極４６０の第４電極部４５０を各放電空間２４１内に延びるように配置したので、輝度不均一及び消費電力をより減少させることができる。
【００２５】
液晶表示装置の実施例
第５実施例
図９は本発明の第５実施例による液晶表示装置の部分切開分解斜視図である。本実施例による液晶表示装置の面光源装置は第１実施例において説明した構成と同一である。従って、本実施例による液晶表示装置のうち面光源装置に対しては同一の参照番号を示し、その詳細な説明は省略する。
図９に示すように、液晶表示装置９００は収納容器６００、面光源装置１００、液晶表示パネル７００及びシャーシ８００を含む。
収納容器６００は、底面６１０及び底面６１０のエッジ部に収納空間を形成するために配置された複数個の側壁６２０、放電電圧印加モジュール６３０及びインバーター６４０で構成される。収納容器６００は、面光源装置１００及び液晶表示パネル７００が左右に動けないように固定する。
【００２６】
底面６１０は、面光源装置１００を収納するのに十分な底面積及び面光源装置１００と同一の形状を有する。本実施例で底面６１０は面光源装置１００と同一の長方形の表面を含む直方体プレート形状を有する。
側壁６２０は面光源装置１００が外部に離脱しないように底面６１０から延びるように形成される。
放電電圧印加モジュール６３０は、面光源装置１００の第１電極３００及び第２電極４００に第１駆動電圧及び第２駆動電圧をそれぞれ印加する。放電電圧印加モジュール６３０は、第１駆動電圧印加モジュール６３２及び第２駆動電圧印加モジュール６３４を含む。第１駆動電圧印加モジュール６３２は第１導電本体６３２ａ及び第１導電本体６３２ａに形成された第１導電性クリップ６３２ｂで構成される。第２駆動電圧印加モジュール６３４は第２導電本体６３４ａ及び第２導電本体６４３４ａに形成された第２導電性クリップ６３４ｂで構成される。
【００２７】
面光源装置１００に形成された第１電極３００及び第２電極４００は、第１導電性クリップ６３２ｂ及び第２導電性クリップ６３４ｂにグリップされて固定される。
インバーター６４０は第１駆動電圧印加モジュール６３２及び第２駆動電圧印加モジュール６３４に放電電圧を印加する。インバーター６４０及び第１駆動電圧印加モジュール６３２は第１電源印加線６４２によって連結され、インバーター６４０及び第２駆動電圧印加モジュール６３４は第２電源印加線６４４によって連結される。
面光源装置１００は光源本体２００、第１電極３００及び第２電極４００を含む。光源本体２００は第１基板２１０、第２基板２２０及び空間分割部材２４０を含む。空間分割部材２４０は第１基板２１０と第２基板２２０との間に配置される。第１電極３００は、空間分割部材２４０と交差する方向に配置された第１電源印加部３１０及び第１電源印加部３１０から空間分割部材２４０によって形成された放電空間内に延びる第１電極部３２０を含む。第２電極４００は、光源本体２００の第１電極３００から離隔された位置に配置される。
【００２８】
液晶表示パネル７００は、面光源装置１００から発生した光を情報が含まれたイメージ光に変換する。これを具現するために液晶表示パネル７００はＴＦＴ基板７１０、液晶７２０、カラーフィルター基板７３０及び駆動モジュール７４０を含む。
ＴＦＴ基板７１０は、マトリックス状に配置された画素電極、各画素電極に駆動電圧を印加する薄膜トランジスタ、ゲートライン及びデータラインを含む。
カラーフィルター基板７３０は、ＴＦＴ基板７１０に形成された画素電極と向き合うように配置されたカラーフィルター、及び、カラーフィルターの上面に形成された共通電極を含む。
液晶７２０は、ＴＦＴ基板７１０とカラーフィルター基板７３０との間に配置される。
一方、液晶表示パネル７００のカラーフィルター基板７３０のエッジ部は、シャーシ８００によって囲まれ、シャーシ８００の一部は収納容器６００にフック結合される。シャーシ６００は外部衝撃に対して比較的弱い液晶表示パネル７００の割れを防止し、液晶表示パネル７００が収納容器６００から離脱することを防止する。説明されていない参照番号５００は面光源装置１００から射出された光を拡散させる光拡散部材である。
【００２９】
以上説明したように、本発明の面光源装置は、輝度分布が非常に均一な光を発生し、光を発生する過程で輝度分布が急激に変化することを防止し、光を発生するのに必要とされる電力量を大幅に減少させることができる。
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００３０】
【図１】本発明の第１実施例による面光源装置の部分切開斜視図である。
【図２】図１のＡ−Ａ線に沿って切断した断面図である。
【図３】図１の光源本体のうち密封部材及び第２基板を選択して示す平面図である。
【図４】図１に示された面光源装置の空間分割壁の配置を示す平面図である。
【図５】図４の他の実施例を示す平面図である。
【図６】本発明の第２実施例による面光源装置の平面図である。
【図７】本発明の第３実施例による面光源装置の平面図である。
【図８】本発明の第４実施例による面光源装置の平面図である。
【図９】本発明の第５実施例による液晶表示装置の部分切開分解斜視図である。
【符号の説明】
【００３１】
１００      面光源装置
２００      光源本体
２１０      第１基板
２２０      第２共通板
２３０      密封部材
２４０      空間分割部材
２４２      放電ガス
２４６      第１蛍光層
２４８      第２蛍光層
３００      第１電極
３１０      第１電源印加部
３２０      第１電極部
３３０      第３電極
４００      第２電極
４１０      第２電源印加部
４２０      第２電極部
４３０      第４電極
４４０      第４電源印加部
６００      収納容器
７００      液晶表示パネル
８００      シャーシ
９００      液晶表示装置
【図１】
2005108819.tif 000003
【図２】
2005108819.tif 000004
【図３】
2005108819.tif 000005
【図４】
2005108819.tif 000006
【図５】
2005108819.tif 000007
【図６】
2005108819.tif 000008
【図７】
2005108819.tif 000009
【図８】
2005108819.tif 000010
【図９】
2005108819.tif 000011